(57)【特許請求の範囲】
【請求項１】
湯水送給ホースが接続された吐水部材と、前記吐水部材を脱着自在に保持する保持部材と、前記湯水送給ホースに接続された開閉弁と、物体の接近、離隔を検知して前記開閉弁に開閉信号を送るために前記吐水部材に設けられた接近センサと、手動操作で前記開閉弁に開閉信号を送るために前記吐水部材に設けられた手動スイッチとを備えた自動水栓であって、
前記保持部材に対する前記吐水部材の離脱、装着操作に対応して前記接近センサの検知領域を変化、復元させる検知領域制御手段を設けたことを特徴とする自動水栓。
【請求項２】
前記検知領域制御手段が、前記保持部材に対する前記吐水部材の離脱、装着操作に対応して前記接近センサの検知領域を縮小、復元させる機能を有する請求項１記載の自動水栓。
【請求項３】
前記吐水部材が前記保持部材から離脱しているとき、前記手動スイッチまたは前記接近センサのいずれか一方からの開閉信号を優先する優先制御手段を設けた請求項１または２記載の自動水栓。
【請求項４】
前記保持部材から離脱状態にある前記吐水部材からの連続的吐水が一定時間を超えると前記開閉弁を自動的に閉止する自動止水手段を設けた請求項１〜３のいずれかに記載の自動水栓。
【請求項５】
前記一定時間内に、前記接近センサに対する物体の接近、離隔または前記手動スイッチの操作が行われると前記一定時間の計測を再開始するリセット機能を前記自動止水手段に設けた請求項４記載の自動水栓。
【発明の詳細な説明】
【０００１】
【発明の属する技術分野】
本発明は、吐水部材に手などを近づけると自動的に吐水する自動水栓であって前記吐水部材が延長ホースとともに保持部材から着脱可能な自動水栓、いわゆるプルアウト式の自動水栓に関する。
【０００２】
【従来の技術】
手などを吐水部材に近づけたり、離したりすることによって自動的に吐水、止水する機能を備えた自動水栓は、オフィスビルやホテル、鉄道の駅および公共施設などのトイレや洗面所を中心に広く普及している。このような自動水栓には様々な改良が加えられているが、近年、吐水部材を手で掴んで軸方向に引っ張ると給水ホースととともに吐水部材を保持部材から外して引き出すことのできる、いわゆるプルアウト式の自動水栓が開発され、特開平４−７３３３３号公報、特開平５−１７１６６５号公報などに開示されている。
【０００３】
前記公報に開示されている自動水栓は、吐水部材が保持部材に装着されている場合には、センサの検知信号に基づいて自動的に吐水、止水が行われるとともに、手動操作スイッチの操作によっても吐水、止水を行わせることができ、吐水部材を保持部材から外しているときは、手動操作スイッチの操作によってのみ吐水、止水が行われる機能を備えている。このような自動水栓を洗髪化粧台や浴室用シャワー設備として設置すれば、頭髪や顔面あるいは浴槽などの洗浄対象物に吐水部材を近づけて吐水させることができる。
【０００４】
【発明が解決しようとする課題】
前記公報に開示されている自動水栓は、吐水部材を保持部材から外して使用している場合、手動操作スイッチを操作しない限り、吐水、止水が行われないので、使い勝手が悪く、使用者にとって不便である。特に、吐水部材を引き出した状態で吐水、止水を何度も反復するような使い方をする場合、その都度手動スイッチの操作を繰り返さなければならないので面倒である。また、このような手動操作の繰り返しは、指先の動作が不自由な老人や子供などにとってはかなりの負担となっている。
【０００５】
本発明は、吐水部材装着時は通常の自動水栓の機能を発揮し、保持部材から吐水部材を離脱させているときは手動操作あるいは吐水部材を物体へ接近、離隔させることによって自動的に吐水、止水が行われる機能を備えた自動水栓を提供することにある。
【０００６】
【課題を解決するための手段】
本発明の自動水栓は、湯水送給ホースが接続された吐水部材と、前記吐水部材を脱着自在に保持する保持部材と、前記湯水送給ホースに接続された開閉弁と、物体の接近、離隔を検知して前記開閉弁に開閉信号を送るために前記吐水部材に設けられた接近センサと、手動操作で前記開閉弁に開閉信号を送るために前記吐水部材に設けられた手動スイッチとを備えた自動水栓であって、前記保持部材に対する前記吐水部材の離脱、装着操作に対応して前記接近センサの検知領域を変化、復元させる検知領域制御手段を設けたことを特徴とする。ここで、接近センサの検知領域を変化させるとは、検知領域を縮小したり、拡大したり、あるいは移動させたりすることをいうが、接近センサの検知領域がゼロ、つまり接近センサの検知機能が停止することは含まないものとする。
【０００７】
このような構成とすることにより、吐水部材が保持部材に装着されている場合は、接近センサが吐水部材に対する物体の接近、離隔を検知して開閉弁を開閉することで自動的に吐水、止水が行われ、手動スイッチを手動操作することで吐水、止水を行うことができるので、通常の自動水栓としての機能を発揮する。また、吐水部材を保持部材から離脱させた場合、前記検知領域制御手段がそれを検知して接近センサの検知領域を変化させるが、接近検知機能は維持され、吐水部材を物体に接近、離隔させることにより自動的に吐水、止水が行われるだけでなく、手動スイッチの操作による吐水、止水もできるので、離脱時の吐水部材の使い勝手が良好となり、便利である。
【０００８】
さらに、保持部材に対する吐水部材の離脱、装着操作に対応して接近センサの検知領域が変化、復元するので、離脱状態にある吐水部材を物体に接近、離隔させたとき、吐水部材装着時と異なる接近距離や接近方向における吐水、止水動作が得られるようになり、吐水部材を保持部材に装着すれば前記検知領域は自動復元するので利便性が向上する。なお、保持部材から吐水部材を離脱させたとき、接近センサの検知領域を縮小させるか、拡大させるか、あるいは移動させるかは、当該自動水栓の設置場所や使い方などに応じて前記検知領域制御手段に予め設定しておくことが可能であり、前記設定はその後変更することもできるので、使用状況の変化にも的確に対応することができる。
【０００９】
ここで、前記検知領域制御手段に、前記保持部材に対する前記吐水部材の離脱、装着操作に対応して前記接近センサの検知領域を縮小、復元させる機能を設けることにより、保持部材から離脱させた状態にある吐水部材は、装着時よりも更に物体に接近させなければ吐水しないようになるので、対象物のみに向けて集中的に吐水することが可能となり、吐水部材を動かしているときに誤って吐水することもなくなるので、使い勝手が更に向上する。また、離脱させた吐水部材を保持部材に元通り装着すれば、接近センサの検知領域は元の状態に復元するので、通常の自動水栓としての機能は維持される。なお、吐水部材を離脱させた状態における、接近センサの縮小時検知領域は、前記検知領域制御手段に予め設定することができ、この設定値はその後、変更することもできるので、使用条件に適した設定を行うことができる。
【００１０】
なお、前記検知領域制御手段によって接近センサの検知領域を縮小させる具体的方法としては、例えば、赤外線を発する赤外線発光部と、前記赤外線発光部から発せられ対象物に当たって反射した赤外線を受ける赤外線受光部とを備え、前記赤外線受光部で受けた赤外線受光量が一定値（以下「閾値」という。）を超えたり、下回ったりしたときに開閉信号を発する赤外線式接近センサの場合、前記赤外線受光部の閾値を上げることで受光感度を弱めたり、赤外線発光部の投光量を低下させたりする方法が好適である。
【００１１】
また、前記吐水部材が前記保持部材から離脱しているとき、前記手動スイッチまたは前記接近センサのいずれか一方からの開閉信号を優先する優先制御手段を設けることが望ましい。前記手動スイッチからの開閉信号を優先する優先制御手段を設けることにより、センサの感知、非感知を確認することなしに手動スイッチの操作により使用者の意図通りに吐水、止水を行うことが可能となり、前記接近センサからの開閉信号を優先する優先制御手段を設けることにより手動スイッチによる吐水、止水を確認することなしにセンサの感知機能を利用してやはり使用者の意図通りに吐水、止水することが可能となる。
【００１２】
なお、前記吐水部材が前記保持部材に装着されているときは、前記接近センサまたは前記手動スイッチのうち先に開放信号を発した方の信号を優先することが望ましい。これにより、接近センサまたは手動スイッチからの信号によって吐水が開始された後、他方の接近センサまたは手動スイッチからの信号によって吐水が中断されることなく継続して吐水させることができるようになる。
【００１３】
また、前記保持部材から離脱状態にある前記吐水部材からの連続的吐水が一定時間を超えると前記開閉弁を自動的に閉止する自動止水手段を設けることにより、保持部材から離脱させて吐水している吐水部材を洗面台や浴室床面の上に放置するなど、接近センサの検知領域に物体が存在する状態で吐水中の吐水部材が放置された場合に、そのまま吐水し続けて周囲が浸水したり、水道水が浪費されたりするのを防止することができる。なお、前記一定時間は予め設定することができ、その後、使用条件に応じて短縮、延長することもできる。
【００１４】
この場合、前記一定時間内に、前記接近センサに対する物体の接近、離隔または前記手動スイッチの操作が行われると前記一定時間の計測を再開始するリセット機能を前記自動止水手段に設けることが望ましい。ここで再開始とは前記一定時間の計測を０からやりなおすことをいう。これにより、吐水部材を離脱させた状態で長時間に亘って連続吐水させたい場合、吐水中に手動スイッチを操作したり、吐水部材を対象物に接近、離隔させたりすれば、前記リセット機能により前記一定時間の計測が再度はじめから開始されるので、洗浄中に吐水が中断するような不便さをなくすことができる。
【００１５】
【発明の実施の形態】
図１は本発明の実施の形態である自動水栓を示す概略構成図、図２は図１における矢線Ａ視図、図３は図１に示す自動水栓のブロック制御図、図４は図１に示す自動水栓の吐水部材を離脱させた状態を示す概略構成図である。
【００１６】
図１，図２に示すように、本実施形態の自動水栓１は、プルアウト式自動水栓とも呼ばれるものであり、柔軟な湯水送給ホース２が基端部に接続され湯水供給ホース２を経由して送給される湯水を吐出する吐水口３ａを有する吐水部材３と、この吐水部材３を脱着自在に保持する保持部材４と、湯水送給ホース２に湯水混合器具５を介して接続された給水管６および給湯管７と、給水管６および給湯管７にそれぞれ配置された電磁開閉弁８などを備え、給水管６、給湯管７の基端部はそれぞれ電磁開閉弁８を経由して水道管Ｃ、送湯管Ｈに配管されている。
【００１７】
後述するように、電磁開閉弁８が開放されると、水道管Ｃ、送湯管Ｈから送給される湯および水が湯水混合器具５へ流れ込み、ここで互いに混合され適切な温度となった湯水が湯水送給ホース２および吐水部材３を経由して吐水口３ａから吐き出される。
【００１８】
また、吐水部材３には、吐水口３ａに対する物体の接近、離隔を検知して電磁開閉弁８に開閉信号を送る接近センサ９と、手動操作によって電磁開閉弁８に開閉信号を送る手動スイッチ１０とが設けられ、保持部材４には、この保持部材４に対する吐水部材３の離脱、装着状態を識別する脱着識別スイッチ１１が設けられている。そして、図３に示すように、接近センサ９、手動スイッチ１０、脱着識別スイッチ１１および電磁開閉弁８はいずれも総合制御装置１２に電気的に接続されている。接近センサ９は、総合制御装置１２からの給電によって赤外線を発する発光部９ａと、この発光部９ａから発され物体に当たって反射した赤外線を受ける受光部９ｂなどで構成されている。
【００１９】
吐水部材３が保持部材４に装着されているとき、接近センサ９は、受光部９ｂで受けた赤外線受光量に応じた信号を総合制御装置１２へ送信しているが、図５に示すように、時刻ｔ１において吐水口３ａに手を差し出すことによって受光部９ｂで受ける赤外線受光量が予め設定された一定値（閾値）を超えたり、差し出していた手を時刻ｔ２において引っ込めることによって受光部９ｂで受ける赤外線受光量が閾値より下回ったりすると、総合制御装置１２へ送られる信号が変化するので、その信号変化に基づいて総合制御装置１２が電磁開閉弁８へ開放信号、閉止信号を送り、電磁開閉弁８の開閉を行う。
【００２０】
総合制御装置１２には、図６に示すように、保持部材４に対する吐水部材３の離脱、装着操作に対応して、接近センサ９の検知領域を通常の広状態から狭状態へ切り替えたり、狭状態から広状態へ復元させたりする機能を有する検知領域制御手段が設けられている。本実施形態では、吐水部材３を保持部材４から離脱させたとき、図７に示すように、接近センサ９の受光部９ｂの閾値を閾値Ｘまで上げることでその受光感度を弱め、これによって接近センサ９の検知領域を縮小させる方式を採用している。すなわち、保持部材４に対する吐水部材３の離脱、装着操作に対応して接近センサ９の受光部９ｂの閾値を上昇、復帰させることで検知領域を縮小、復元させる。
【００２１】
したがって、吐水部材３を保持部材４から離脱させると図７で示したように受光部９ｂの閾値が閾値Ｘまで上昇するので、時刻ｔ３で吐水口３ａに物体が接近して赤外線受光量がＲ１まで増加しても吐水口３ａから吐水されることはなく、物体が更に吐水口３ａに接近し赤外線受光量がＲ２まで増加して閾値Ｘを超えると吐水口３ａから吐水が行われる。
【００２２】
なお、保持部材４に対する吐水部材３の離脱、装着操作に対応して、接近センサ９の検知領域を通常の広状態から狭状態へ切り替える検知領域制御手段としてはこれに限定するものではないので、前述した方式のほか、保持部材４に対する吐水部材３の離脱、装着操作に対応して発光部９ａの赤外線投光量を低下、復帰させることによって検知領域を縮小、復元させる方式なども採用可能である。
【００２３】
この方式の場合、閾値は設定値のままで変化させないが、保持部材４から吐水部材３の離脱させると発光部９ａの赤外線投光量が低下する結果、図８に示すように、受光部９ｂの受光量もＲ３まで低下するので、時刻時刻ｔ４で吐水口３ａに物体が接近して赤外線受光量がＲ４まで増加しても吐水口３ａから吐水されることはなく、物体が更に吐水口３ａに接近し赤外線受光量がＲ５まで増加して閾値を超えると吐水口３ａから吐水が行われることとなる。
【００２４】
図１に示すように、吐水部材３が保持部材４に装着されているときは、脱着識別スイッチ１１が装着状態であることを認識し、総合制御装置１２が接近センサ９の検知領域をいわゆる装着モード（広状態）に保っているので、吐水部材３の吐水口３ａに手などを近づけると、接近センサ９がそれを検知して総合制御装置１２へ開放信号を送り、この信号に基づいて２つの電磁開閉弁８が開放され、湯水混合器具５で設定された温度の湯水が吐水口３ａから吐出される。
【００２５】
また、吐水口３ａ近くにある手などを遠ざけると、接近センサ９がそれを検知して総合制御装置１２へ閉止信号を送り、この信号に基づいて２つの電磁開閉弁８が閉止され、吐水口３ａからの吐水が停止する。また、吐水部材３が保持部材４に装着されている場合、手動スイッチ１０を操作することによっても吐水、止水を行うことも可能であり、このような吐水、止水動作は通常の自動水栓と同様である。
【００２６】
なお、本実施形態の自動水栓１においては、吐水部材３が保持部材４に装着された状態にあるときは、接近センサ９または手動スイッチ１０のうち、先に信号を発した方からの開閉信号を優先し、後から信号を発した方の開閉信号は受け付けない先発優先制御手段を総合制御装置１２に設けている。したがって、図９に示すように、接近センサ９（または手動スイッチ１０）からの信号で吐水が開始されると、後から手動スイッチ１０（または接近センサ９）によって信号が発されても当該信号で吐水が停止されることがなく、最初に信号を発した接近センサ９（または手動スイッチ１０）が次の信号が発するまで継続して吐水されるという効果が得られる。
【００２７】
次に、図４に示すように、吐水部材３を保持部材４から離脱させると、脱着識別スイッチ１１がそれを認識して総合制御装置１２へ信号を送り、総合制御装置１２が接近センサ９の検知領域を縮小して、いわゆる離脱モード（狭状態）に変更する。これによって、保持部材４から離脱させた状態にある吐水部材３は、装着モードのときよりも更に物体に接近させなければ吐水しないようになるので、頭髪部分など比較的狭い領域にある対象物のみに向けて集中的に吐水することができ、使用位置まで吐水部材３を移動させているときに誤って吐水することもないので使い勝手に優れ、便利である。
【００２８】
また、吐水部材３を対象物に接近、離隔させるだけで、自動的に吐水、止水が行われるので、吐水、止水を何度も繰り返すような場合の肉体的負担を軽減することができるだけでなく、手動スイッチ１０の操作が苦手な老人、子供あるいは肢体不自由者などでも容易に使用できる。
【００２９】
また、離脱させた吐水部材３を保持部材４に元通り装着すれば、脱着識別スイッチ１１がそれを検知して総合制御装置１２へ信号を送り、総合制御装置１２からの信号で接近センサ９の検知領域は元の状態に復元するので、通常の自動水栓としての機能が復帰する。なお、吐水部材３を離脱させた状態における、接近センサ９の狭状態検知領域は、総合制御装置１２内の検知領域制御手段に予め設定することができ、この設定値はその後、変更することもできるので、使用条件に適した設定を行うことができる。
【００３０】
また、本実施形態では、吐水部材３が保持部材４から離脱しているとき、手動スイッチ１０からの開閉信号を優先するように切り替えることのできる優先制御手段を総合制御装置１２に設けている。したがって、手動スイッチ１０優先に切り替えた状態で、吐水部材３を保持部材４から離脱させると、図１０に示すように、接近センサ９からの開閉信号によっても吐水、止水は行われるが、手動スイッチ１０が開閉信号を発すると、後から接近センサ９が開閉信号を発してもこれを無視するようになっている。
【００３１】
このような優先制御手段により、接近センサ９の感知、非感知を確認することなしに手動スイッチ１０を操作するだけで、使用者の意図通りに吐水、止水を行うことができるという効果が得られる。なお、総合制御装置１２内の前記優先制御手段を切り替えることにより、接近センサ９からの開閉信号を優先するように設定することもできる。
【００３２】
また、本実施形態では、保持部材４から離脱状態にある吐水部材３からの連続的吐水が一定時間を超えると電磁開閉弁８を自動的に閉止する自動止水手段を総合制御装置１２に設けている。また、前記一定時間内に、接近センサ９の検知領域内における接近センサ９に対する物体の接近、離隔または手動スイッチ１０の操作が行われると前記一定時間の計測を再開始するリセット機能を前記自動止水手段に設けている。
【００３３】
したがって、保持部材４から離脱させた状態で吐水している吐水部材３を洗面台や浴室床面の上に放置するなど、接近センサ９の検知領域に物体が存在する状態で吐水中の吐水部材３が放置された場合、図１１に示すように、吐水中に手動スイッチ１０からの信号があればリセット機能が作動し、この時点から一定時間が経過するまで吐水は続行されるが、その後、吐水部材３を持ち上げるなどして接近センサ９の検知領域から物体を離隔させれば吐水は停止される。一方、吐水開始後、手動スイッチ１０が操作されない状態が一定時間を超えると、自動止水手段が異常事態と判断して自動的に吐水を停止するようになっている。
【００３４】
また、前述と同様、接近センサ９の検知領域に物体が存在する状態で吐水中の吐水部材３が放置された場合、図１２に示すように、吐水中に吐水部材３を動かすなどして接近センサ９の検知領域内で接近センサ９に対し物体を接近、離隔させれば、その受光部９ｂの赤外線受光量の変化（閾値を超えた領域内での変化）を総合制御装置１２が検知してリセット機能を作動させ、この時点から一定時間が経過するまで吐水は続行されるが、その後、吐水部材３を持ち上げるなどして接近センサ９の検知領域から物体を離隔させれば吐水は停止される。一方、吐水開始後、接近センサ９の検知領域内における接近センサ９に対する物体の接近、離隔がなく受光部９ｂの赤外線受光量の変化がない状態が一定時間を超えると、自動止水手段が異常事態と判断して自動的に吐水を停止するようになっている。
【００３５】
すなわち、保持部材４から離脱状態にある吐水部材３の接近センサ９が接近した対象物を検知して吐水が開始された後、前記一定時間内に手動スイッチ１０が操作されないとき、あるいは、前記一定時間内に接近センサ９の検知領域における接近センサ９に対する物体の接近、離隔がないときは、いずれのときも異常事態と判断して自動的に止水される。
【００３６】
このような自動止水手段を設けたことにより、使用者の忘却などで洗面台や浴室床面などに吐水状態で放置された吐水部材がそのまま吐水し続けて周囲が浸水したり、水道水が浪費されたりするのを防止することができる。なお、総合制御装置１２内の自動止水手段を調節することにより、前記一定時間は予め設定することができ、その後、使用条件に応じて前記一定時間を短縮、延長することもできる。
【００３７】
また、前記自動止水手段は、前記一定時間内に、接近センサ９への物体の接近、離隔または手動スイッチ１０の操作が行われると前記リセット機能が作動するので、吐水部材３を離脱させた状態で長時間に亘って連続吐水させたい場合、吐水中に手動スイッチ１０を操作したり、吐水部材３をその検知領域の範囲内で対象物に接近、離隔させたりすれば、長時間を要する洗浄作業の途中で吐水が中断するような不便さを回避することができる。
【００３８】
以上のように、自動水栓１において、吐水部材３が保持部材４に装着されている場合は、接近センサ９が吐水部材３に対する物体の接近、離隔を検知して電磁開閉弁８が開閉されることによって自動的に吐水、止水が行われ、手動スイッチ１０を手動操作することによって吐水、止水を行うことができるので、通常の自動水栓としての機能を発揮する。また、吐水部材３を保持部材４から離脱させた場合、脱着識別スイッチ１１がそれを検知して接近センサ９の検知領域を縮小させるが、接近センサ９の接近検知機能は維持され、吐水部材３を物体に接近、離隔させるだけで自動的に吐水、止水が行われるだけでなく、手動スイッチ１０の操作による吐水、止水もできるので、離脱時の吐水部材３の使い勝手が良好であり、便利である。
【００３９】
なお、保持部材４から吐水部材３を離脱させたとき、接近センサ９の検知領域を縮小させるか、拡大させるか、あるいは移動させるかは、当該自動水栓１の設置場所や使い方などに応じて総合制御装置１２内の検知領域制御手段に予め設定しておくことが可能であり、前記設定はその後変更することもできるので、使用状況の変化にも的確に対応することができる。
【００４０】
【発明の効果】
本発明により、以下に示す効果を奏する。
【００４１】
（１）湯水送給ホースが接続された吐水部材と、前記吐水部材を脱着自在に保持する保持部材と、前記湯水送給ホースに接続された開閉弁と、物体の接近、離隔を検知して前記開閉弁に開閉信号を送るために前記吐水部材に設けられた接近センサと、手動操作で前記開閉弁に開閉信号を送るために前記吐水部材に設けられた手動スイッチとを備えた自動水栓に、前記保持部材に対する前記吐水部材の離脱、装着操作に対応して前記接近センサの検知領域を変化、復元させる検知領域制御手段を設けたことにより、吐水部材装着時は通常の自動水栓の機能を発揮し、保持部材から離脱させた吐水部材の物体への接近、離隔によっても自動的に吐水、止水が行われるようになるので、使い勝手が良好となり、便利である。
【００４２】
（２）前記検知領域制御手段に、前記保持部材に対する前記吐水部材の離脱、装着操作に対応して前記接近センサの検知領域を縮小、復元させる機能を設けることにより、保持部材から離脱させた状態にある吐水部材は、装着時よりも更に物体に接近させなければ吐水しないようになるので、対象物のみに向けて集中的に吐水することが可能となり、吐水部材を動かしているときに誤って吐水することもなくなるので、使い勝手が更に向上する。
【００４３】
（３）前記吐水部材が前記保持部材から離脱しているとき、前記手動スイッチからの開閉信号を優先する優先制御手段を設けることにより、センサの感知、非感知を確認することなしに手動スイッチの操作により使用者の意図通りに吐水、止水させることが可能となり、前記接近センサからの開閉信号を優先する優先制御手段を設けることにより手動スイッチによる吐水、止水を確認することなしにセンサの感知により使用者の意図通りに吐水、止水を行うことが可能となる。
【００４４】
（４）前記保持部材から離脱状態にある前記吐水部材からの連続的吐水が一定時間を超えると前記開閉弁を自動的に閉止する自動止水手段を設けることにより、接近センサの検知領域に物体が存在する状態で吐水中の吐水部材が放置された場合に、そのまま吐水し続けて周囲が浸水したり、水道水が浪費されたりするのを防止することができる。
【００４５】
（５）前記一定時間内に、前記接近センサに対する物体の接近、離隔または前記手動スイッチの操作が行われると前記一定時間の計測を再開始するリセット機能を前記自動止水手段に設けることにより、吐水部材を離脱させた状態で長時間に亘って連続吐水させたい場合に吐水が中断するような不便さをなくすことができる。
【図面の簡単な説明】
【図１】  本発明の実施の形態である自動水栓を示す概略構成図である。
【図２】  図１における矢線Ａ視図である。
【図３】  図１に示す自動水栓の制御ブロック図である。
【図４】  図１に示す自動水栓において吐水部材を離脱させた状態を示す概略構成図である。
【図５】  受光部の赤外線受光量の変化と閾値との関係を示すグラフである。
【図６】  吐水部材の脱着状態と接近センサの検知領域の変化との関係を示すシーケンス図である。
【図７】  吐水部材を離脱させた状態における受光部の赤外線受光量の変化と閾値との関係を示すグラフである。
【図８】  発光部の赤外線投光量を低下させた状態における受光部の赤外線受光量の変化と閾値との関係を示すグラフである。
【図９】  吐水部材を保持部材に装着した状態における吐水、止水動作を示すシーケンス図である。
【図１０】  吐水部材を保持部材から離脱させた状態における吐水、止水動作を示すシーケンス図である。
【図１１】  吐水部材を保持部材から離脱させた状態における自動止水手段の機能を示すシーケンス図である。
【図１２】  吐水部材を保持部材から離脱させた状態における自動止水手段の機能を示すシーケンス図である。
【符号の説明】
１  自動水栓
２  湯水送給ホース
３  吐水部材
３ａ  吐水口
４  保持部材
５  湯水混合器具
６  給水管
７  給湯管
８  電磁開閉弁
９  接近センサ
１０  手動スイッチ
１１  脱着識別スイッチ
１２  総合制御装置
【図１】
0003722056.tif 000002
【図２】
0003722056.tif 000003
【図３】
0003722056.tif 000004
【図４】
0003722056.tif 000005
【図５】
0003722056.tif 000006
【図６】
0003722056.tif 000007
【図７】
0003722056.tif 000008
【図８】
0003722056.tif 000009
【図９】
0003722056.tif 000010
【図１０】
0003722056.tif 000011
【図１１】
0003722056.tif 000012
【図１２】
0003722056.tif 000013